(57)【特許請求の範囲】
【請求項１】
結像面に像を形成する光学系と、
前記結像面の前方箇所で前記光学系の光軸方向で重ね合わされ、前記光学系の光軸に対して交差する面に沿って移動可能で前記光軸側の縁部により開口を形成する２枚の遮光板と、
前記２枚の遮光板を互いに離間接近する方向に移動させて、前記開口の開口量を変化させる駆動機構と、
を備える光量制御装置であって、
前記２枚の遮光板は、前記結像面に近い側に位置する第１遮光板と、前記結像面から遠い側に位置する第２遮光板とからなり、
前記駆動機構は、前記第１遮光板が、その光軸寄りの端部を前記結像面に近付け、前記光軸から離れた端部を前記結像面から遠ざけるように傾斜し、かつ、前記第２遮光板が、その光軸寄りの端部を前記結像面から遠ざけ、前記光軸から離れた端部を前記結像面に近付けるように傾斜させて配置され、前記開口の中心と前記光学系の光軸とが同軸上に位置するように構成されている、
ことを特徴とする光量制御装置。
【発明の詳細な説明】
【０００１】
【産業上の利用分野】
本発明はコンパクトカメラ等の光学機器に装備される光量制御装置に関する。
【０００２】
【従来の技術】
コンパクトカメラ等のレンズシャッターを備えたカメラには、遮光板として複数枚の絞り羽根、あるいは絞り羽根を兼用したシャッター羽根（以下、これらをシャッター羽根という）を駆動して絞り開口量を変化させて光量制御を行う所謂絞り機構等の光量制御装置が装備されている。
図７は、従来の光量制御装置の説明図である。
図７に示すように、２枚のシャッター羽根１００，１０２は、撮影光学系１０４と、結像面に配置されるフィルム１０６との間に重なるようにして設置されており、シャッター羽根１００，１０２は駆動装置（図示省略）の駆動によってそれぞれ矢印Ａ１  ，Ａ２  方向に動かすことによって、被写体１０８から入射する光量を、シャッター羽根１００，１０２によって形成される開口１１０の大きさを制御して調整する。
【０００３】
【発明が解決しようとする課題】
ところで、前記した２枚のシャッター羽根１００，１０２で形成される開口１１０の絞り開口径が大きい場合、あるいはシャッター羽根１００，１０２が金属製で厚みが薄く形成されているときは、開口１１０の絞り開口径を小さくした場合でもフィルム１０６上での周辺光量低下はほとんど問題にならなかった。
しかしながら、最近ではシャッター羽根１００，１０２は合成樹脂材で形成されているので、強度的に金属製のシャッター羽根よりも厚みを厚くする必要があり、この厚みが厚い場合（例えば０．１ｍｍ以上）には、開口１１０の絞り開口径を小さくすると、シャッター羽根１００，１０２の厚みによってフィルム１０６上で周辺光量に差が生じて露光むらが発生する問題があった。
即ち、図８に示すように、所定の厚みで形成されている２枚のシャッター羽根１００，１０２は、交差するように動いて開口１１０の絞り開口径の大きさを可変するので、厚みの量だけ段差が大きくなる。尚、図８では、シャッター羽根１００はフィルム１０６に近い側で、シャッター羽根１０２はシャッター羽根１００よりもフィルム１０６から遠い側である。
【０００４】
そして、被写体１０８からの入射光は、撮影光学系１０４を通してシャッター羽根１００，１０２の開口１１０を通過するときに、シャッター羽根１００の方がフィルム面１０６Ａに近いので、シャッター羽根１００側（矢印Ｂ１  方向）からフィルム１０６の周辺近傍Ｃ１  に入射する光量は、シャッター羽根１００，１０２間の段差量に対応してシャッター羽根１０２側（矢印Ｂ２  方向）からフィルム１０６の周辺近傍Ｃ２  に入射する光量に比べてより多く入射する。
よって、図７に示したように、フィルム１０６の周辺近傍Ｃ２  側は、フィルム１０６の周辺近傍Ｃ１  に比べて光量低下（斜線部分）が生じ、フィルム１０６上で露光むらが発生する。
本発明は前記事情に鑑み案出されたものであって、本発明の目的は、遮光板が最も近傍に配置される結像面周辺の光量低下をなくし、結像面において良好な像を形成することができる光量制御装置を提供しようとするものである。
【０００５】
【課題を解決するための手段】
前記目的を達成するため本発明は、結結像面に像を形成する光学系と、前記結像面の前方箇所で前記光学系の光軸方向で重ね合わされ、前記光学系の光軸に対して交差する面に沿って移動可能で前記光軸側の縁部により開口を形成する２枚の遮光板と、前記２枚の遮光板を互いに離間接近する方向に移動させて、前記開口の開口量を変化させる駆動機構と、を備える光量制御装置であって、前記２枚の遮光板は、前記結像面に近い側に位置する第１遮光板と、前記結像面から遠い側に位置する第２遮光板とからなり、前記駆動機構は、前記第１遮光板が、その光軸寄りの端部を前記結像面に近付け、前記光軸から離れた端部を前記結像面から遠ざけるように傾斜し、かつ、前記第２遮光板が、その光軸寄りの端部を前記結像面から遠ざけ、前記光軸から離れた端部を前記結像面に近付けるように傾斜させて配置され、前記開口の中心と前記光学系の光軸とが同軸上に位置するように構成されていることを特徴とする。
【０００８】
【実施例】
以下、本発明の実施例について図面を参照して説明する。
図１は第１実施例に係る光量制御装置の概略図、図２はシャッター羽根の正面図である。
図１に示すように、光量制御装置１はこの実施例ではカメラの絞り機構で、光量制御装置１はカメラの撮影光学系２と、撮影光学系２の結像面に配置されるフィルム３との間に設けられている。
光量制御装置１内には、図２に示した絞り羽根を兼用した２枚のシャッター羽根（遮光板に相当する）４，５と、シャッター羽根４，５を開閉駆動する駆動装置（図示省略）等が設けられている。
【０００９】
２枚のシャッター羽根４，５は、合成樹脂製で約０．１ｍｍの厚みで形成されている。
２枚のシャッター羽根４，５は撮影光学系２の光軸Ｆ方向で重ね合わされ、光軸Ｆと直交する方向に移動可能に配設され、２枚のシャッター羽根４，５の内の一方のシャッター羽根４がフィルム３側に位置し、他方のシャッター羽根５がフィルム３から離れた側に位置している。
シャッター羽根４，５は、その下部４ａ，５ａの大部分が重なるようにして左右対称に取付けられており、シャッター羽根４，５の下部４ａ，５ａはそれぞれ軸６，８を支点にして回動自在に支持されている。
また、シャッター羽根４，５の上部の光軸Ｆ側の縁部には、それぞれ開口形成用縁部（光軸側縁部に相当）４ｂ，５ｂが形成されており、これら開口形成用縁部４ｂ，５ｂによって光量絞り用の開口１０が形成される。
【００１０】
また、シャッター羽根４，５の軸６，８間には、図３に示すように、それぞれ長穴状の駆動溝１２，１４が形成されており、駆動溝１２，１４内には、駆動レバー１６の一端側１６ａ（図では右端側）に取付けた駆動ピン１８が駆動溝１２，１４内を移動可能に挿入されている。
駆動レバー１６はレバー支持部２０を支点にして回動自在に支持されている。
駆動レバー１６の他端側１６ｂ（図では左端側）には、駆動レバー１６を矢印Ｅ方向に駆動する駆動装置（図示省略）に接続されたレバー駆動機構（図示省略）が取付けられており、駆動レバー１６の他端側１６ｂをシャッター速度に対応した速度で光量絞りに対応した量だけ駆動する。
【００１１】
尚、図３では、２枚のシャッター羽根４，５のうちのシャッター羽根４だけが図示されており、シャッター羽根５側は駆動溝１４だけが図示されている。
シャッター羽根５の駆動溝１４は、シャッター羽根４の駆動溝１２に対して少しずれるようにして形成されている。即ち、図３に示すように、シャッター動作がオフの状態でシャッター羽根４，５が最も重なって開口１０が閉じているとき、駆動溝１２，１４の右端側は重なるようにして同じ位置にあるが、駆動溝１２，１４の左端方向に沿って駆動溝１４は、駆動溝１２の下側に少し位置するようにして形成されている。
このように、シャッター羽根４の駆動溝１２とシャッター羽根５の駆動溝１４の位置が少しずれて形成され、これにより、開口１０の開口量が小さいとき、フィルム３の最も近傍に位置するシャッター羽根４の開口形成用縁部４ｂと光軸Ｆとの距離が、シャッター羽根５の開口形成用縁部５ｂと光軸Ｆとの距離よりも大きくなるように構成され、開口１０が小さいときほど開口１０の中心Ｇが、シャッター羽根４側で光軸Ｆから離れる方向に偏位するように構成されている。
【００１２】
次に、上記した光量制御装置のシャッター羽根の動作について説明する。
シャッター動作がオフで駆動レバー１６の駆動装置（図示省略）が駆動していなくて開口１０が閉じているときは、図３に示すように、駆動レバー１６に取付けた駆動ピン１８は駆動溝１２，１４の最も右端側に位置している。
そして、シャッター動作がオンになって駆動レバー１６の駆動装置（図示省略）が駆動して、レバー駆動機構（図示省略）で駆動レバー１６が矢印Ｅ方向に駆動されて駆動レバー１６がレバー支持部２０を回転支点にして右回転することにより、駆動ピン１８が駆動溝１２，１４内の下部を圧接しながら下方（矢印Ｈ方向）に移動することによって、シャッター羽根４は軸６を支点にして左回転する。また、シャッター羽根４と左右対称に取付けられているシャッター羽根５も同様に軸８を支点にして右回転する。
【００１３】
このように、シャッター羽根４，５が左右に回転することにより、開口形成用縁部４ｂ，５ｂで所定の絞り開口径の開口１０が形成される。
そして、図２に示すように、全閉状態から駆動レバー１６が少しだけ可動して開口形成用縁部４ｂ，５ｂで開口１０が形成され始める初期状態では、シャッター羽根５の開口形成用縁部５ｂが光軸Ｆを横切ってシャッター羽根４の開口形成用縁部４ｂ側に位置し、光軸Ｆの位置に対し開口１０の中心Ｇがシャッター羽根４側に少し偏位するように開口１０が形成される。
このとき、駆動溝１２，１４内を下方に圧接しながら移動する駆動ピン１８は、駆動溝１２，１４の右端側近くに位置しており、シャッター羽根４，５は開口１０の中心Ｇに対して左右対称に開いている。
このように、小絞りのときは、開口１０の中心Ｇは光軸Ｆに対してシャッター羽根４側に少し偏位しているので、シャッター羽根４側のフィルム３周辺の光量低下をなくしてフィルム３上での露光むらを防止することができる。
【００１４】
そして、駆動装置（図示省略）によって駆動レバー１６を矢印Ｅ方向に大きく駆動することによって、大口径の開口１０が形成されるときは、前記同様駆動レバー１６をレバー支持部２０を回転支点にして大きく回転させることにより、駆動ピン１８が駆動溝１２，１４内の下部を圧接しながら駆動溝１２，１４の左端側近くまで移動して（図３の点線部分）、シャッター羽根４，５をそれぞれ左右に大きく移動させる。
このとき、駆動溝１４の左端側は、駆動溝１２の左端側よりも下側に位置しているので、駆動溝１４の左端側が下側に位置している量に対応してシャッター羽根５はシャッター羽根４よりも大きく回転する。
よって、開口１０が大口径のときは、シャッター羽根５はシャッター羽根４よりも大きく開くので、開口１０の中心Ｇが光軸Ｆとほぼ一致し、フィルム３が均一に露光される。
【００１５】
図４は第２実施例に係るシャッター羽根の斜視図である。
本実施例では、光量制御装置を構成する２枚のシャッター羽根３０，３２は、シャッター羽根３０がフィルム３に近い側に配置され、シャッター羽根３２がフィルム３から遠い側に配置されている。
前記シャッター羽根３０はその下部３０ａが軸３４で支持され、シャッター羽根３２はその下部３２ａを上に向けて配置され、その下部３２ａが軸３６で支持されている。
また、シャッター羽根３０，３２の上部の光軸Ｆ側の縁部には、それぞれ開口形成用縁部３０ｂ，３２ｂが形成されており、開口形成用縁部３０ｂ，３２ｂによって光量絞り用の開口３８が形成される。
また、シャッター羽根３０，３２の下部３０ａ，３２ａには、それぞれ駆動カム溝４０，４２が形成されており、駆動カム溝４０，４２内には、それぞれ駆動カム（図示省略）に取り付けた駆動ピン４４，４６が駆動カム溝４０，４２内に移動可能に挿入されている。
駆動カム溝４０，４２の内側（開口３８側）は同じ半径に形成されているが、外側方向に沿って駆動カム溝４０は、駆動カム溝４２よりも小さい径で形成され、これにより、開口３８の開口量が小さいとき、フィルム３の最も近傍に位置するシャッター羽根３０の開口形成用縁部３０ｂと光軸Ｆとの距離が、シャッター羽根３２の開口形成用縁部３２ｂと光軸Ｆとの距離よりも大きくなるように構成され、開口３８が小さいときほど開口３８の中心Ｇが、シャッター羽根３０側で光軸Ｆから離れる方向に偏位するように構成されている。
【００１６】
本実施例に係る光量制御装置は上記のように構成されており、駆動カム（図示省略）の回転駆動によって駆動ピン４４，４６が駆動カム溝４０，４２内をガイドされながら移動することにより、シャッター羽根３０は軸３４を支点にして矢印Ｉ１  方向に回転し、シャッター羽根３２は軸３６を支点にして矢印Ｉ２  方向に回転する。
そして、前記実施例と同様に、小絞りのときは開口３８の中心Ｇは光軸Ｆに対してシャッター羽根３０側に少し偏位しているので、シャッター羽根３０側のフィルム周辺の光量低下をなくしてフィルム３を均一に露光することができる。
そして、開口３８が大きく開いているときは、駆動カム溝４０，４２の半径の違いにより、シャッター羽根３２は、シャッター羽根３０よりも大きく開くので、開口３８の中心Ｇが光軸Ｆとほぼ一致し、フィルム３が均一に露光される。
【００１７】
図５は第３実施例に係るシャッター羽根の正面図である。尚、図２に示した第１実施例と同一部分には同一符号を付し、その説明は省略する。
本実施例では、シャッター羽根４，５の開口形成用縁部４ｂ，５ｂで形成される開口１０の中心Ｇが、開口量の大小に拘らず常に、光軸Ｆに対してフィルム３に近いシャッター羽根４側に偏位するように構成されている。
すなわち、シャッター羽根４，５の各駆動溝１２，１４が重なるようにして形成されることによって、駆動ピン１８を矢印Ｈ方向に駆動することにより、シャッター羽根４，５は左右対称に移動し、開口１０の中心Ｇが光軸Ｆに対して常にフィルム３に近いシャッター羽根４側にずらされる。
このような第３実施例によっても、前記実施例と同様に、小絞りときにシャッター羽根４側のフィルム周辺の光量低下をなくしてフィルム３を均一に露光することができる。
【００１８】
図６は第４実施例に係るシャッター羽根の平面図である。
第４実施例では、図５に示した第３実施例のシャッター羽根４，５をフィルム３に対して傾斜させた構成であり、本実施例では開口１０の中心Ｇと入射光の光軸Ｆは同軸上に位置している。また、本実施例では、シャッター羽根４が特許請求の範囲の第１遮光板を構成し、シャッター羽根５が特許請求の範囲の第２遮光板を構成している。
詳細に説明すると、フィルム３に近い側のシャッター羽根４を、その光軸Ｆ寄りの端部をフィルム３に近付け、光軸Ｆから離れた端部をフィルム３から遠ざけるように傾斜させ、また、フィルム３から遠い側のシャッター羽根５を、その光軸Ｆ寄りの端部をフィルム３から遠ざけ、光軸Ｆから離れた端部をフィルム３に近付けるように傾斜させて配置したものである。
第４実施例によっても、小絞りのときに、シャッター羽根５側からフィルム３に入射する光量を傾斜量に対応して多くすることができるので、シャッター羽根４側のフィルム周辺の光量低下をなくしてフィルム３を均一に露光することができる。
【００１９】
尚、前記した各実施例ではシャッター羽根が２枚の場合であったが、シャッター羽根が３枚以上で構成されている光量制御装置の場合でも適用可能である。
また、実施例ではフィルムへの光量を調整するカメラの絞り機構に本発明を適用した場合について説明したが、フィルムを用いないカメラや、その他種々の光学機器の光量制御装置としてして適用される。
【００２０】
【発明の効果】
以上の説明で明らかなように本発明によれば、結像面に像を形成する光学系と、前記結像面の前方箇所で前記光学系の光軸方向で重ね合わされ、前記光学系の光軸に対して交差する面に沿って移動可能で前記光軸側の縁部により開口を形成する２枚の遮光板と、前記２枚の遮光板を互いに離間接近する方向に移動させて、前記開口の開口量を変化させる駆動機構とを備えた光量制御装置において、遮光板が最も近傍に配置される結像面周辺の光量低下をなくし、結像面において良好な像を形成することができる。
【図面の簡単な説明】
【図１】第１実施例に係る光量制御装置の概略図である。
【図２】シャッター羽根を示す正面図である。
【図３】シャッター羽根の要部を示す概略図である。
【図４】第２実施例に係るシャッター羽根の斜視図である。
【図５】第３実施例に係るシャッター羽根の正面図である。
【図６】第４実施例に係るシャッター羽根の平面図である。
【図７】従来の光量制御装置の概略図である。
【図８】従来のシャッター羽根の開口によりフィルム面での周辺光量の低下を説明する説明図である。
【符号の説明】
１  光量制御装置
２  撮影光学系
３  フィルム
４，５，３０，３２  シャッター羽根
１０，３８  開口
１２，１４  駆動溝
１８  駆動ピン
【図１】
0003605175.tif 000002
【図２】
0003605175.tif 000003
【図３】
0003605175.tif 000004
【図４】
0003605175.tif 000005
【図５】
0003605175.tif 000006
【図６】
0003605175.tif 000007
【図７】
0003605175.tif 000008
【図８】
0003605175.tif 000009